(57)【要約】【課題】従来のヒンジ機構では、ヒンジピンの抜止め手段として、その一端にＬ字状に曲げた抜止め部を形成すると共に、他端に係合溝又は係合穴を形成し、これらの係合溝又は係合穴に装着する止め輪又はスナップピンを別部品として用いる必要があるため、専用工具を必要とする等の種々の課題があった。【解決手段】そこで本発明では、第１の部材２に第２の部材３ａを回動可能に支持する構成において、夫々に設けた支持腕５，６に係合穴５ｈ，６ｈを設けて、これらの係合穴に、一端をＬ字状に曲げて抜止め部８を構成したヒンジピン７を係合する構成とすると共に、第１の部材には、ヒンジピンが抜け方向に移動し、且つ係合状態が維持されている位置において抜止め部を係止する係止部９を設けたヒンジ機構４を提案する。【選択図】図３
2008089042.tif 000002
【特許請求の範囲】
【請求項１】
第１の部材に第２の部材を回動可能に支持する構成において、第１の部材と第２の部材に夫々設けた支持腕に係合穴を設けて、これらの係合穴に、一端をＬ字状に曲げて抜止め部を構成したヒンジピンを係合する構成とすると共に、第１の部材又は第２の部材にはヒンジピンを抜け方向に移動し、且つ係合状態が維持されている位置において抜止め部を係止する係止部を設けたことを特徴とするヒンジ機構。
【請求項２】
第１の部材がベッドフレーム側部材であり、第２の部材がベッドフレーム側部材上に回動可能に支持する床板であることを特徴とする請求項１に記載のヒンジ機構。
【請求項３】
ベッドフレーム側部材が、ベッドフレームに対して運動可能に構成されていることを特徴とする請求項２に記載のヒンジ機構。
【請求項４】
第１の部材に、第２の部材と、これに隣接する第３の部材を回動可能に支持する構成において、第１の部材、第２の部材及び第３の部材に夫々設けた支持腕に係合穴を設けて、これらの係合穴に、一端をＬ字状に曲げて抜止め部を構成したヒンジピンを係合する構成とすると共に、第１の部材、第２の部材又は第３の部材にはヒンジピンを抜け方向に移動し、且つ係合状態が維持されている位置において抜止め部を係止する係止部を設けたことを特徴とするヒンジ機構。
【請求項５】
第１の部材がベッドフレーム側部材であり、第２の部材及び第３の部材がベッドフレーム側部材上に回動可能に支持する床板であることを特徴とする請求項４に記載のヒンジ機構。
【請求項６】
ベッドフレーム側部材が、ベッドフレームに対して運動可能に構成されていることを特徴とする請求項５に記載のヒンジ機構。
【請求項７】
係止部は、抜止め部側の前方に先拡がり開口部を形成した弾性挟持部として構成したことを特徴とする請求項１〜６までのいずれか１項に記載のヒンジ機構。
【発明の詳細な説明】
【技術分野】
【０００１】
本発明は、例えば複数に分割されて起伏可能に構成した床板を有するベッドにおいて床板を回動可能に支持するために用いる等、一方の部材を他方の部材に対して回動可能に支持したり、又は隣接する２つの部材を、共通の部材により回動可能に支持したりするためのヒンジ機構に関するものである。
【背景技術】
【０００２】
一方の部材を他方の部材に対して回動可能に支持したり、又は隣接する２つの部材を、共通の部材により回動可能に支持したりするためのヒンジ機構は、いわゆる蝶番から、椅子、ベッド等に至る各種の物品において用いられている機構である。
【０００３】
例えば図７はヒンジ機構の一例を模式的に示すものである。このヒンジ機構は、第１の部材ａに対して第２の部材ｂを回動可能に支持するためのもので、第１の部材ａに設けた支持腕ｃと第２の部材ｂに設けた支持腕ｄの夫々に係合穴ｅ，ｆを設け、これらの係合穴ｅ，ｆにヒンジピンｇを係合して支持する構成であり、ヒンジピンｇは、係合穴ｅ，ｆから抜けないようにするための抜止め手段が必要である。
【０００４】
抜止め手段の例として、例えば、図８の（ａ）に示すものは、ヒンジピンｇの一端をＬ字状に曲げて抜止め部ｈを形成すると共に、他端には係合溝ｊを形成し、この係合溝ｊにＥ形、Ｃ形等の止め輪ｋを装着して抜止めとするものである。また図８の（ｂ）に示すものは、（ａ）と同様にヒンジピンｇの一端をＬ字状に曲げて抜止め部ｈを形成すると共に、他端には係合穴ｍを形成し、この係合穴ｍにＲピン等のスナップピンｎを装着して抜止めとするものである。
【０００５】
このような止め輪ｋやスナップピンｎを、夫々ヒンジピンｇの係合溝ｊや係合穴ｍに装着する場合、また取り外す場合には、専用工具が必要であり、例えば特許文献１〜３に示されるように、従来から各種の専用工具が提案されている。
【特許文献１】特開平５−２９３７７１号公報
【特許文献２】特開平１１−２８５９２８号公報
【特許文献３】特開２００６−８８２６２号公報
【発明の開示】
【発明が解決しようとする課題】
【０００６】
上述した従来のヒンジ機構では、抜止め手段として、ヒンジピンの一端にＬ字状に曲げた抜止め部を形成すると共に、ヒンジピンの他端に係合溝又は係合穴を形成する必要があり、またこれらの係合溝又は係合穴に装着する止め輪又はスナップピンを別部品として用いる必要があるため、以下に示すような課題があった。
【０００７】
１．ヒンジピンの加工工数が多い。
２．止め輪やスナップピン等の別部品を必要とするため部品点数が多くなり、例えばヒンジ機構を、現地組立式のベッド等に適用するような場合、別部品を紛失する場合がある。
３．専用工具が必要であり、これを準備しなければならない。
本発明は、このような課題を解決することを目的とする。
【課題を解決するための手段】
【０００８】
上述した課題を解決するために、本発明では、第１の部材に第２の部材を回動可能に支持する構成において、第１の部材と第２の部材に夫々設けた支持腕に係合穴を設けて、これらの係合穴に、一端をＬ字状に曲げて抜止め部を構成したヒンジピンを係合する構成とすると共に、第１の部材又は第２の部材にはヒンジピンを抜け方向に移動し、且つ係合状態が維持されている位置において抜止め部を係止する係止部を設けたヒンジ機構を提案する。
【０００９】
また本発明では、このヒンジ機構において、第１の部材がベッドフレーム側部材であり、第２の部材がベッドフレーム側部材上に回動可能に支持する床板であるヒンジ機構を提案する。この場合、ベッドフレーム側部材は、ベッドフレームに対して固定されているものであっても良いし、直線状移動、回転移動等の運動可能に構成されていても良い。
【００１０】
次に本発明では、第１の部材に、第２の部材と、これに隣接する第３の部材を回動可能に支持する構成において、第１の部材、第２の部材及び第３の部材に夫々設けた支持腕に係合穴を設けて、これらの係合穴に、一端をＬ字状に曲げて抜止め部を構成したヒンジピンを係合する構成とすると共に、第１の部材、第２の部材又は第３の部材にはヒンジピンを抜け方向に移動し、且つ係合状態が維持されている位置において抜止め部を係止する係止部を設けたヒンジ機構を提案する。
【００１１】
そして本発明では、このヒンジ機構において、第１の部材がベッドフレーム側部材であり、第２の部材及び第３の部材がベッドフレーム側部材上に回動可能に支持する床板であるヒンジ機構を提案する。この場合、ベッドフレーム側部材は、ベッドフレームに対して固定されているものであっても良いし、直線状移動、回転移動等の運動可能に構成されていても良い。
【００１２】
そして本発明では、以上のヒンジ機構において、係止部は、抜止め部側の前方に先拡がり開口部を形成した弾性挟持部として構成することを提案する。
【発明の効果】
【００１３】
本発明のヒンジ機構では、一端をＬ字状に曲げて抜止め部を構成したヒンジピンを、抜止め部が係止部に閊えない状態において支持腕の係合穴に係合した後、ヒンジピンを軸の回りに回転して、抜止め部を係止部の係止方向に合わせ、この状態でヒンジピンを抜け方向に移動することにより、その抜止め部が係止部に係止して、それ以上の抜け方向の移動を阻止する。
【００１４】
このように本発明のヒンジ機構では、ヒンジピンの他端側に何らの抜止め手段を設けなくとも、一端側のＬ字状に曲がった抜止め部が係止部により移動不能に支持されて、ヒンジピンの抜けを確実に防止することができる。
【００１５】
抜止め部はヒンジピンの一端側にＬ字状に曲げて形成しているので、この部分を係止する係止部は、ヒンジピンの軸方向の延長線上から横にずれており、従って、係合穴に対してのヒンジピンの挿抜に係止部が邪魔となることがない。
【発明を実施するための最良の形態】
【００１６】
次に本発明のヒンジ機構を、複数に分割されて起伏可能に構成した床板を有するベッドにおいて床板を回動可能に支持するために用いた実施の形態につき、添付図面を参照して説明する。
図１は本発明のヒンジ機構を適用した床板起伏式ベッドにおいて、床板が平坦な状態の斜視図、図２は床板起伏状態の斜視図を示すものである。
即ち、符号１はベッドを示すもので、このベッドは、ベッドフレーム２上に、複数、この場合、背部、腰部及び足部の３つに分割された床板３ａ，３ｂ，３ｃを回動可能に支持した構成であり、これらの床板３ａ，３ｂ，３ｃは適宜の昇降駆動機構により駆動されて図２に示すような起伏状態に移行可能な構成である。このような床板起伏式のベッドは周知であるので昇降駆動機構の詳細な説明は省略する。
【００１７】
このベッド１では、ベッドフレーム２を第１の部材、背部床板３ａを第２の部材、腰部床板３ｂを第３の部材として、本発明のヒンジ機構４を用いて、第１の部材に、第２の部材と、これに隣接する第３の部材を回動可能に支持する。即ち、ベッドフレーム２側の部材、例えばベッドフレーム２自体や、ベッドフレーム２に設けた駆動側部材等に対して、背部床板３ａと腰部床板３ｂを回動可能に支持する構成とする。
【００１８】
図３は図１の要部、即ち、本発明に係るヒンジ機構４を含む部分を拡大して示すもので、このヒンジ機構４は、ベッド１の幅方向に一対設けている。また後述する図４〜図６は、図３の一対のヒンジ機構４中、左側のヒンジ機構４の近傍を拡大して示すものである。
【００１９】
この実施の形態では、ベッドフレーム２に設けた部材２ｄに、一対の支持腕５ａ，５ｂを設け、これらの支持腕５ａ，５ｂに係合穴５ｈを形成している。またベッドフレーム２に設けた部材２ｅに、係止部９を設けている。この係止部９は図４、図５に示すように、前方に先拡がり開口部１０を形成した弾性挟持部１１として構成している。この弾性挟持部１１の材質としては、プラスチックスや金属を用いることができる。また背部床板３ａと腰部床板３ｂには、夫々支持腕６ａ，６ｂを設けており、これらには係合穴６ｈを形成している。尚、この実施の形態では、係止部９は、上記第１の部材としてのベッドフレーム２側に設けているが、第２の部材としての背部床板３ａ又は第３の部材としての腰部床板３ｂ側に設けることもできることは上述したとおりである。
【００２０】
図３の左右側のヒンジ機構４の夫々において、ベッドフレーム２側の支持腕５ａ，５ｂには、夫々背部床板３ａの支持腕６ａ，腰部床板３ｂの支持腕６ｂが近接した状態で、それらの係合穴５ｈ，６ｈを合わせ、この状態で、ヒンジピン７が挿入されて、係合状態となっている。ヒンジピン７は一端をＬ字状に曲げて抜止め部８を構成しており、このヒンジピン７の抜止め部８は係止部９、即ち、弾性挟持部１１に係止されており、従ってヒンジピン７は抜けが防止されて係合状態が維持され、ヒンジ機構４がヒンジとしての機能を保持している。
【００２１】
以上において、ベッドフレーム２側の部材２ｄ，２ｅは、ベッドフレーム２に対して固定されているものであっても良いし、直線状移動、回転移動等の運動可能に構成されていても良いことは、上述したとおりである。
【００２２】
そこで、次に、ヒンジピン７の挿抜工程を説明する。
まず始めは、図４において矢印で示すように、一端をＬ字状に曲げて抜止め部８を構成したヒンジピン７を、抜止め部８が係止部９に閊えないように上方に向いた状態として、支持腕５ａ，５ｂ，６ａ，６ｂの係合穴５ｈ，６ｈに係合する。
【００２３】
次いで、図５に示すように、ヒンジピン７を軸の回りに回転して、抜止め部８を係止部９の係止方向、即ち横方向に合わせた後、この状態で図中矢印で示すように、ヒンジピン７を抜け方向に移動する。すると抜止め部８は、先拡がり開口部１０に当接して、弾性に抗して開口を開くので、図３に示されるように弾性挟持部１１内に入って、支持される。こうしてヒンジピン７の抜止め部８が係止部９に係止されて、それ以上の抜け方向の移動が阻止される。
【００２４】
このように本発明のヒンジ機構では、上述した従来の抜止め手段のように、ヒンジピンの他端側に何らの抜止め手段を設けなくとも、一端側のＬ字状に曲がった抜止め部８が係止部９により移動不能に支持されて、ヒンジピン７の抜けが確実に防止され、ヒンジ機構４がヒンジとしての機能を発揮する。
【００２５】
即ち、図６に示すように、背部床板３ａは、その支持腕６ａが係合穴６ｈに係合しているヒンジピン７の回りに回動して背上げの状態に移行することができ、同様に腰部床板３ｂも、その支持腕６ｂが係合穴６ｈに係合しているヒンジピン７の回りに回動して膝上げの状態に移行することができる。
【００２６】
以上の工程と逆の工程により、ヒンジピン７を支持腕５ａ，５ｂ，６ａ，６ｂの係合穴５ｈ，６ｈから抜くことができ、こうしてベッドフレーム２に対しての背部床板３ａと腰部床板３ｂの支持を解除することができる。
【００２７】
抜止め部８はヒンジピン７の一端側にＬ字状に曲げて形成しているので、この部分を係止する係止部９は、ヒンジピン１の軸方向の延長線上から横にずれており、従って、係合穴５ｈ，６ｈに対してのヒンジピン７の挿抜に係止部９が邪魔となることがない。
【００２８】
従って本発明のヒンジ機構では、
１．ヒンジピンは、抜止め部を形成する以外の加工を必要としない。
２．止め輪やスナップピン等の別部品を必要としないので、現地組立式のベッド等に適用するような場合でも、別部品の紛失という不都合が生じない。
３．専用工具が不要である。
等々の数々の利点がある。
【産業上の利用可能性】
【００２９】
本発明のヒンジ機構は、従来のヒンジ機構が適用している各種の物品に適用することができるが、例えば上述したような床板起伏式のベッドにおける床板の回動支持機構に使用することにより、ベッドの現地組立等に大きな利点があり、利用可能性が非常に大である。
【図面の簡単な説明】
【００３０】
【図１】本発明に係るヒンジ機構を適用した床板起伏式ベッドの床板平坦状態の斜視図である。
【図２】本発明に係るヒンジ機構を適用した床板起伏式ベッドの床板起伏状態の斜視図である。
【図３】本発明に係るヒンジ機構を含む部分を拡大して示す拡大斜視図である。
【図４】本発明に係るヒンジ機構を含む部分を拡大して示す拡大斜視図である。
【図５】本発明に係るヒンジ機構を含む部分を拡大して示す拡大斜視図である。
【図６】本発明に係るヒンジ機構を含む部分を拡大して示す拡大斜視図である。
【図７】ヒンジ機構の従来例を示す斜視図である。
【図８】従来のヒンジ機構に用いるヒンジピンと、抜止め用部品を示す斜視図である。
【符号の説明】
【００３１】
１                ベッド
２                ベッドフレーム
３                床板
３ａ            背部床板
３ｂ            腰部床板
３ｃ            足部床板
４                ヒンジ機構
５ａ，５ｂ        支持腕
６ａ，６ｂ        支持腕
７                ヒンジピン
８                抜止め部
９                係止部
１０              先拡がり開口部
１１              弾性挟持部
ａ                第１の部材
ｂ                第２の部材
ｃ，ｄ            支持腕
ｅ，ｆ            係合穴
ｇ                ヒンジピン
ｈ                抜止め部
ｊ                係合溝
ｋ                止め輪
ｍ                係合穴
ｎ                スナップピン
【図１】
2008089042.tif 000003
【図２】
2008089042.tif 000004
【図３】
2008089042.tif 000005
【図４】
2008089042.tif 000006
【図５】
2008089042.tif 000007
【図６】
2008089042.tif 000008
【図７】
2008089042.tif 000009
【図８】
2008089042.tif 000010